(57)【要約】【課題】昇降コードの巻き上げを電動モータにより行う電動式カーテン昇降装置であり、複数枚のカーテン材によるカーテン装置に適用した複重カーテン昇降装置を提供すること。【解決手段】ヘッドボックス内に搭載した電動モータに巻取りドラムを接続し、電動モータの回転駆動によって昇降式カーテンに連結された昇降コード４を、巻取りドラム８に巻取りまたは巻解きしてカーテンを上下方向に開閉するようにした装置であって、昇降式カーテンの幅方向にわたってのび、昇降式カーテンの上端縁部を支持するヘッドボックス２と、ヘッドボックスに対して吊下げ状に取り付けられる少なくとも二枚の昇降式カーテン材３と、ヘッドボックスの長さ方向に間隔を置いて直列に配置され、カーテンの枚数に応じた数の電動モータ６と、各カーテンの上限位置並びに下限位置を検知して各電動モータを個別に制御する上限下限スイッチ手段ＳＭとを含む電動式複重カーテン昇降装置。【選択図】図１
2008289641.tif 000002
【特許請求の範囲】
【請求項１】
ヘッドボックス内に搭載した電動モータに巻取りドラムを接続しておき、前記電動モータの回転駆動によって、昇降式カーテンに連結された昇降コードを、前記巻取りドラムに巻取りまたは巻解きして、昇降式カーテンを上下方向に開閉するようにした電動式カーテン昇降装置であって、
前記昇降式カーテンの幅方向にわたってのび、前記昇降式カーテンの上端縁部を支持するヘッドボックスと、
前記ヘッドボックスに対して吊下げ状に取り付けられる少なくとも二枚の昇降式カーテン
材と、
前記ヘッドボックス内において、その長さ方向に間隔を置いて直列に配置され、前記昇降式カーテンの枚数に応じた数の電動モータと、
前記各昇降式カーテンの上限位置並びに下限位置を検知して前記各電動モータを個別に制御する上限下限スイッチ手段と、を含むものからなることを特徴とする電動式複重カーテン昇降装置。
【請求項２】
前記各電動モータに対し、各昇降式カーテンにおける昇降コードの数に応じた数の巻取りドラムを、前記電動モータの回転軸に直列に設けたものからなることを特徴とする請求項１に記載の電動式複重カーテン昇降装置。
【請求項３】
一つの巻取りドラムに対して二本の昇降コードを取り付けたことを特徴とする請求項１に記載の電動式複重カーテン昇降装置。
【請求項４】
前記各昇降式カーテンに対する昇降コードが、少なくとも一本のものからなることを特徴とする請求項１に記載の電動式複重カーテン昇降装置。
【請求項５】
前記各昇降式カーテンに対する昇降コードが、左右一対の昇降コードを含むものからなり、前記各電動モータの回転軸に、前記左右一対の昇降コードのための巻取りドラムを直列に取り付けたものからなることを特徴とする請求項２に記載の電動式複重カーテン昇降装置。
【請求項６】
前記各昇降式カーテンに対する昇降コードが、左右一対の昇降コードおよびその中間に配した少なくとも一つの中間昇降コードを含むものからなり、前記各電動モータの回転軸に、前記左右一対の昇降コードおよび中間昇降コードのための巻取りドラムを直列に取り付けたものからなることを特徴とする請求項２に記載の電動式複重カーテン昇降装置。
【請求項７】
前記上限下限スイッチ手段が、前記ヘッドボックスの下面に設けられていることを特徴とする請求項１〜請求項６のいずれかに記載の電動式複重カーテン昇降装置。
【請求項８】
二枚の昇降式カーテン材用の上限下限スイッチ手段が、前記ヘッドボックスの下面において前後方向に並列配置されていることを特徴とする請求項１〜請求項６のいずれかに記載の電動式複重カーテン昇降装置。
【請求項９】
前記上限下限スイッチ手段が、
前記昇降コードを緊張させたまま垂下させるガイドローラーと、
前記昇降式カーテンを上昇限界位置まで上昇させた時に、その作動片が昇降式カーテン又は昇降式カーテンに連結されて上昇する部材によって押し上げられることによって、そのマイクロスイッチを動作させ、電動モータを停止させる上昇用リミットスイッチと、
前記昇降式カーテンを下降限界位置まで下降させた時、又は、下降途中で昇降式カーテン又は昇降式カーテンに連結されて下降する部材が障害物に当たった時に、その作動片が昇降コードに弛みが生じることによって、そのマイクロスイッチを動作させ、電動モータを停止させる下降用リミットスイッチを有しており、
さらに、上昇用リミットスイッチの作動片の回転軸及び下降用リミットスイッチの作動片の回転軸がカーテン昇降装置の延設長さ方向に対して交叉しており、
上昇用リミットスイッチの作動片の回転軸及び下降用リミットスイッチの作動片の回転軸が平行に設けられていることを特徴とする請求項１〜請求項８のいずれかに記載の電動式複重カーテン昇降装置。
【請求項１０】
前記下降用リミットスイッチの作動片が上昇用リミットスイッチの作動片の上方に重ねて配置されており、上昇用リミットスイッチの作動片及び下降用リミットスイッチの作動片には、垂下する昇降コードを挿通させるコード挿通孔が上下に連続して設けられていることを特徴とする請求項９に記載の電動式複重カーテン昇降装置。
【請求項１１】
前記上昇用リミットスイッチの作動片の先端部及び下降用リミットスイッチの作動片の先端部が、それら作動片の回転軸方向に並べて配置されることを特徴とする請求項９に記載の電動式複重カーテン昇降装置。
【請求項１２】
前記上限下限スイッチ手段が、
前記昇降コードを緊張させたまま垂下させるガイドローラーと、
前記昇降式カーテンを上昇限界位置まで上昇させた時に、その作動片が昇降式カーテン又は昇降式カーテンに連結されて上昇する部材によって押し上げられることによって、そのマイクロスイッチを動作させ、電動モータを停止させ、
且つ、昇降式カーテンを下降限界位置まで下降させた時、又は、下降途中で昇降式カーテン又は昇降式カーテンに連結されて下降する部材が障害物に当たった時に、その作動片が昇降コードに弛みが生じることによって、そのマイクロスイッチを動作させ、電動モータを停止させる昇降兼用リミットスイッチと、を有することを特徴とする請求項１〜請求項８のいずれかに記載の電動式複重カーテン昇降装置。
【発明の詳細な説明】
【技術分野】
【０００１】
この発明は、少なくとも二本の昇降コードによって吊り下げ状に支持された昇降式のカーテンを、該昇降コードの巻き上げ操作によって昇降操作するカーテン昇降装置であって、特に、該昇降コードの巻き上げを電動モータの回転駆動によって行う電動式のカーテン昇降装置であり、これを少なくとも二枚の昇降式カーテンからなるカーテン昇降装置に適用し、該少なくとも二枚の昇降式カーテンを個別の電動モータにより個別に昇降させるように構成した電動式の複重カーテン昇降装置に関するものである。
【背景技術】
【０００２】
この発明でいう昇降式カーテンとは、例えば、ローマンシェードのように、通常のカーテンと同じようなカーテン生地をそのまま使用し、このカーテン生地を上下方向に手繰るようにして昇降操作するように構成したタイプのカーテンである。この昇降式カーテンは、装飾性が高く、ヒダ並びにギャザーの取り方、ウェーブの感覚といったスタイルも豊富に設計することができ、近年、極めて高い人気を得ている。
【０００３】
さらに、この発明でいうカーテン昇降装置において、電動式とは、当該カーテン昇降装置におけるヘッドボックス内に搭載した電動モータに巻取りドラムを接続しておき、この電動モータの回転駆動により、前記巻取りドラムを介して昇降コードを巻取り、昇降式カーテンを昇降するように構成した型式のカーテン昇降装置である。
【０００４】
さらにまた、この発明でいう複重カーテンとは、カーテン昇降装置におけるヘッドボックスのフレームから、少なくとも二枚のカーテン生地を吊り下げ支持し、これをそれぞれ独立して昇降操作可能に構成したものであり、異なる種類のカーテン生地、例えば、生地の組織、生地の厚さ、模様、柄などの異なる複数枚のカーテン生地を組み合わせて構成することにより、一枚のカーテン生地による構成のものに対して、極めて変化性に富んだものとなり、幅広く利用されている。
【０００５】
このような昇降式カーテンでは、昇降コードや、カーテン生地の上下方向に等間隔で配置される複数のリングテープが、カーテン地の裏面に縫合されており、その昇降コードが、回転する巻取りドラムに巻き取られることにより、それら複数のリングテープが下から順々に上昇し、カーテン生地が下から順番に畳み上げられるように構成してある。
【０００６】
近年、電動モータによって、巻取りドラムを回転駆動させる電動昇降式カーテンが普及してきており、それに伴って、カーテン昇降装置の破損や故障を未然に防ぐために、カーテン地の上昇限界および下降限界において電動モータの回転を自動で停止させるリミットスイッチ装置が開発されている。例えば、特許文献１では、電動ブラインドにおいて、複数のスラットの上昇限界で最上のスラットとの接触によって上昇停止動作をさせる上昇用リミットスイッチと、下降限界および下降の途中でスラットと障害物との接触による昇降コードの弛みによって下降停止動作をさせる下降用リミットスイッチとを併用したリミットスイッチ装置が開示されている。
【０００７】
また、電動モータが小型化するにつれて、カーテン昇降装置の小型化が要求されてきており、そうした中で、リミットスイッチ装置についても小型化、或いは、カーテン昇降装置に内蔵される場合には省スペース化が望まれている。しかしながら、従来のリミットスイッチ装置では、上昇用リミットスイッチと下降用リミットスイッチとが、それぞれの動作安定性や、信頼性を保証する為に、それぞれに最適となる別々の方向に作動し、それによって別々に離れて配置せざるを得ず、そのために集積性が低く、リミットスイッチ装置全体が小型化、或いは、省スペース化ができないという問題があった。
【０００８】
さらに、少なくとも二枚の昇降式カーテン材による複重式に構成された電動式カーテン昇降装置については、いまだ開発されておらず、提供されていなかった。
【０００９】
【特許文献１】特許第２５７７１４３号公報
【発明の開示】
【発明が解決しようとする課題】
【００１０】
そこで、この発明は、昇降コードの巻き上げを電動モータの回転駆動によって行う電動式のカーテン昇降装置であり、これを少なくとも二枚の昇降式カーテンからなるカーテン昇降装置に適用し、該少なくとも二枚の昇降式カーテンを個別の電動モータにより個別に昇降させるように構成した電動式の複重カーテン昇降装置を提供するものである。
【課題を解決するための手段】
【００１１】
この発明は、上記する目的を達成するにあたって、具体的には、ヘッドボックス内に搭載した電動モータに巻取りドラムを接続しておき、前記電動モータの回転駆動によって、昇降式カーテン材に連結された昇降コードを、前記巻取りドラムに巻取りまたは巻解きして、昇降式カーテン材を上下方向に開閉するようにした電動式カーテン昇降装置であって、
前記昇降式カーテン材の幅方向にわたってのび、前記昇降式カーテン材の上端縁部を支持するヘッドボックスと、前記ヘッドボックスに対して吊下げ状に取り付けられる少なくとも二枚の昇降式カーテン材と、前記ヘッドボックス内において、その長さ方向に間隔を置いて直列に配置され、前記昇降式カーテン材の枚数に応じた数の電動モータと、前記各昇降式カーテン材の上限位置並びに下限位置を検知して前記各電動モータを個別に制御する上限下限スイッチ手段と、を含むものからなることを特徴とする電動式複重カーテン昇降装置を構成するものである。
【００１２】
さらに、この発明において請求項２に記載の発明は、請求項１に記載の電動式複重カーテン昇降装置であって、各電動モータに対し、各昇降式カーテン材における昇降コードの数に応じた数の巻取りドラムを、前記電動モータの回転軸に直列に設けたものからなることを特徴とするものである。
【００１３】
さらに、この発明において請求項３に記載の発明は、請求項１に記載の電動式複重カーテン昇降装置であって、一つの巻取りドラムに対して二本の昇降コードを取り付けたことを特徴とするものである。
【００１４】
さらに、この発明において請求項４に記載の発明は、請求項１に記載の電動式複重カーテン昇降装置であって、前記各昇降式カーテンに対する昇降コードが、少なくとも一本のものからなることを特徴とするものである。
【００１５】
さらに、この発明において請求項５に記載の発明は、請求項２に記載の電動式複重カーテン昇降装置であって、前記各昇降式カーテンに対する昇降コードが、左右一対の昇降コードを含むものからなり、前記各電動モータの回転軸に、前記左右一対の昇降コードのための巻取りドラムを直列に取り付けたものからなることを特徴とするものである。
【００１６】
さらに、この発明において請求項６に記載の発明は、請求項２に記載の電動式複重カーテン昇降装置であって、前記各昇降式カーテンに対する昇降コードが、左右一対の昇降コードおよびその中間に配した少なくとも一つの中間昇降コードを含むものからなり、前記各電動モータの回転軸に、前記左右一対の昇降コードおよび中間昇降コードのための巻取りドラムを直列に取り付けたものからなることを特徴とするものである。
【００１７】
さらに、この発明において請求項７に記載の発明は、請求項１〜請求項６のいずれかに記載の電動式複重カーテン昇降装置であって、前記上限下限スイッチ手段が、前記ヘッドボックスの下面に設けられていることを特徴とするものである。
【００１８】
さらに、この発明において請求項８に記載の発明は、請求項１〜請求項６のいずれかに記載の電動式複重カーテン昇降装置であって、二枚の昇降式カーテン材用の上限下限スイッチ手段が、前記ヘッドボックスの下面において前後方向に並列配置されていることを特徴とするものである。
【００１９】
さらに、この発明において請求項９に記載の発明は、請求項１〜請求項８のいずれかに記載の電動式複重カーテン昇降装置であって、前記上限下限スイッチ手段が、
前記昇降コードを緊張させたまま垂下させるガイドローラーと、
前記昇降式カーテンを上昇限界位置まで上昇させた時に、その作動片が昇降式カーテン又は昇降式カーテンに連結されて上昇する部材によって押し上げられることによって、そのマイクロスイッチを動作させ、電動モータを停止させる上昇用リミットスイッチと、
前記昇降式カーテンを下降限界位置まで下降させた時、又は、下降途中で昇降式カーテン又は昇降式カーテンに連結されて下降する部材が障害物に当たった時に、その作動片が昇降コードに弛みが生じることによって、そのマイクロスイッチを動作させ、電動モータを停止させる下降用リミットスイッチを有しており、
さらに、上昇用リミットスイッチの作動片の回転軸及び下降用リミットスイッチの作動片の回転軸がカーテン昇降装置の延設長さ方向に対して交叉しており、
上昇用リミットスイッチの作動片の回転軸及び下降用リミットスイッチの作動片の回転軸が平行に設けられていることを特徴とするものである。
【００２０】
さらに、この発明において請求項１０に記載の発明は、請求項９に記載の電動式複重カーテン昇降装置であって、前記下降用リミットスイッチの作動片が上昇用リミットスイッチの作動片の上方に重ねて配置されており、上昇用リミットスイッチの作動片及び下降用リミットスイッチの作動片には、垂下する昇降コードを挿通させるコード挿通孔が上下に連続して設けられていることを特徴とするものである。
【００２１】
さらに、この発明において請求項１１に記載の発明は、請求項９に記載の電動式複重カーテン昇降装置であって、前記上昇用リミットスイッチの作動片の先端部及び下降用リミットスイッチの作動片の先端部が、それら作動片の回転軸方向に並べて配置されることを特徴とするものである。
【００２２】
さらに、この発明において請求項１２に記載の発明は、請求項１〜請求項８のいずれかに記載の電動式複重カーテン昇降装置であって、前記上限下限スイッチ手段が、
前記昇降コードを緊張させたまま垂下させるガイドローラーと、
前記昇降式カーテンを上昇限界位置まで上昇させた時に、その作動片が昇降式カーテン又は昇降式カーテンに連結されて上昇する部材によって押し上げられることによって、そのマイクロスイッチを動作させ、電動モータを停止させ、
且つ、昇降式カーテンを下降限界位置まで下降させた時、又は、下降途中で昇降式カーテン又は昇降式カーテンに連結されて下降する部材が障害物に当たった時に、その作動片が昇降コードに弛みが生じることによって、そのマイクロスイッチを動作させ、電動モータを停止させる昇降兼用リミットスイッチと、を有することを特徴とするものである。
【発明の効果】
【００２３】
この発明になる電動式複重カーテン昇降装置によれば、電動式カーテン昇降装置として必要な上限下限スイッチ手段をヘッドボックスの下面側に一体かつコンパクトに外付けすることにより、ヘッドボックス内の空間を有効に活用することができ、その分、複重カーテンの枚数に応じた台数の電動モータ並びに一枚毎の昇降コードを巻き取るための巻取りドラムなどをヘッドボックス内に直列に配設することが可能となり、電動モータ並びに巻取りドラムからなる電動巻取り装置を上下または前後に配置する必要もなく、非常にコンパクトに設計することができる。また、上限下限スイッチ手段は、カーテンのサイズによって停止位置を調整する必要もなく、この種のカーテン昇降装置として極めて有効に作用するものである。
【発明を実施するための最良の形態】
【００２４】
以下、この発明になる電動式複重カーテン昇降装置について、図面に示す具体的な実施例に基づいて詳細に説明する。図１は、この発明になる電動式複重カーテン昇降装置の一実施例を示す概略的な斜視図であり、図２は、図１に示す電動式複重カーテン昇降装置におけるヘッドボックス内の詳細を示す概略的な斜視図であり、図３は、ヘッドボックスを下面側から見た概略的な斜視図であり、図４は、当該昇降装置における上限・下限リミットスイッチ機構を下方から見た概略的な斜視図である。
【００２５】
一方、図５は、この発明の異なる適用例を示すものであって、図５Ａは、前後二枚の昇降式カーテンによるものであり、それぞれ左右二箇所に昇降コードを備えた二枚二点巻き上げの例を示す概略的な正面図、図５Ｂは、前後二枚のカーテン生地によるものであり、それぞれ左右および中間部の三箇所に昇降コードを備えた二枚三点巻き上げの例を示す概略的な正面図、図５Ｃは、三枚のカーテン生地をそれぞれ個別に昇降するように構成した三枚二点巻き上げの例を示す概略的な正面図である。
【００２６】
まず、この発明になる電動式複重カーテン昇降装置の基本的な構成について説明する。図１〜図４に示す実施例において、当該電動式複重カーテン昇降装置１は、二枚の昇降式カーテン３Ａ、３Ｂを、それぞれ個別の電動モータ６Ａ、６Ｂの回転駆動によって、それぞれ個別に昇降操作するように構成したものである。
【００２７】
この電動式複重カーテン昇降装置１では、ヘッドボックス２の内部において、回転シャフト７の一端が電動モータ６に連結され、回転シャフト７には巻取りドラム８が一体に回転するように連結される。さらに、巻取りドラム８には昇降コード４の上端が固定されており、電動モータ６Ａ、６Ｂを正転あるいは逆転させることにより、巻取りドラム８によって昇降コード４が巻取りあるいは巻解きされる。
【００２８】
一方、電動式複重カーテン昇降装置１で使用される昇降式カーテン３Ａ、３Ｂは、その裏面において、上下に等間隔で複数のリングテープ５が縫合されており、昇降コード４が、それらの複数のリングテープ５を上下方向に挿通し、カーテン地３の下端に固定される。これによって、昇降コード４が巻取りドラム８によって巻取られると、リングテープ５が下から順番に一つ上のリングテープを玉突きの如く押し上げながら上昇することによって、カーテン地３は下から順番に畳まれながら上昇する。また、昇降コード４が巻取りドラム８によって巻解かれると、カーテン地３は、畳まれた部分を下方から順番に広げながら下降する。
【００２９】
この発明になる電動式複重カーテン昇降装置１は、図１に示す具体的な一実施例によれば、昇降式カーテンの幅方向にわたってのび、前記昇降式カーテンの上端縁部を支持するヘッドボックス２と、前記ヘッドボックス２に対して吊下げ状に取り付けられる少なくとも二枚の昇降式カーテン材３Ａ、３Ｂと、前記ヘッドボックス２内において、その長さ方向に間隔を置いて直列に配置され、前記昇降式カーテンの枚数に応じた数の電動モータ６と、
前記各昇降式カーテンの上限位置並びに下限位置を検知して前記各電動モータを個別に制御する上限下限スイッチ手段１０と、を含むものからなっている。
【００３０】
この発明になる電動式複重カーテン昇降装置１における基本構成について、図５に基づいて説明する。この発明では、少なくとも前後二枚のカーテン地を装備し、このカーテン地をそれぞれ個別に昇降操作しようとする構成のものである。その意味において、これを例示的に示すと、図５Ａに示すもののように、前後二枚の昇降式カーテン材３Ａ、３Ｂを、それぞれ左右二箇所の昇降コード４によって昇降操作する二枚二点巻き上げ式のもの、図５Ｂに示すもののように、前後二枚の昇降式カーテン材３Ａ、３Ｂを、それぞれ左右および中間部の三箇所の昇降コード４によって昇降操作する二枚三点巻き上げ式のもの、図５Ｃに示すもののように、前後方向に三枚の昇降式カーテン材３Ａ、３Ｂ、３Ｃを、それぞれ左右二箇所の昇降コード４によって昇降操作する三枚二点巻き上げ式のものを含むものからなっている。少なくとも二枚のカーテンの枚数は、上記する実施例以外、四枚〜複数枚の構成のものに対しても適用可能である。さらに、前記昇降コード４の本数についても上記する実施例以外、一枚の昇降式カーテン材３に対して一本のもの、四本〜複数本の構成のものに対しても適用可能である。
【００３１】
まず、図１および図５Ａに示す二枚二点巻き上げ式の実施例のものに基づいて詳細に説明する。この実施例では、ヘッドボックス２内に、第１の電動モータ６Ａおよび第２の電動モータ６Ｂが搭載されており、第１の電動モータ６Ａには、その回転シャフト７Ａに第１の一対の巻取りドラム８Ａ-1、８Ａ-2が直列に取り付けてあり、第２の電動モータ６Ｂには、その回転シャフト７Ｂに第２の一対の巻取りドラム８Ｂ-1、８Ｂ-2が直列に取り付けてある。図５Ａに示す実施例において、前記巻取りドラム８Ａ-1には、昇降式カーテン材３Ａに接続された昇降コード４Ａ-1が取り付けられ、前記巻取りドラム８Ｂ-2には、昇降式カーテン材３Ｂに接続された昇降コード４Ｂ-2が取り付けられ、前記巻取りドラム８Ａ-2には、昇降式カーテン材３Ａに接続された昇降コード４Ａ-2が取り付けられ、前記巻取りドラム８Ｂ-1には、昇降式カーテン材３Ｂに接続された昇降コード４Ｂ-1が取り付けられている。
【００３２】
図５Ｂに示す二枚三点巻き上げ式の実施例のものでは、ヘッドボックス２内に、第１の電動モータ６Ａおよび第２の電動モータ６Ｂが搭載されており、第１の電動モータ６Ａには、その回転シャフト７Ａに第１の三つの巻取りドラム８Ａ-1、８Ａ-2、８Ａ-3が直列に取り付けてあり、第２の電動モータ６Ｂには、その回転シャフト７Ｂに第２の三つの巻取りドラム８Ｂ-1、８Ｂ-2、８Ｂ-3が直列に取り付けてある。図５Ｂに示す実施例において、前記巻取りドラム８Ａ-1には、昇降式カーテン材３Ａの左側に接続された昇降コード４Ａ-1が取り付けられ、前記巻取りドラム８Ｂ-3には、昇降式カーテン材３Ｂの左側に接続された昇降コード４Ｂ-2が取り付けられている。前記巻取りドラム８Ａ-2には、昇降式カーテン材３Ａの中間に接続された昇降コード４Ａ-2が取り付けられ、前記巻取りドラム８Ｂ-1には、昇降式カーテン材３Ｂの中間に接続された昇降コード４Ｂ-2が取り付けられている。前記巻取りドラム８Ａ-3には、昇降式カーテン材３Ａの右側に接続された昇降コード４Ａ-3が取り付けられ、前記巻取りドラム８Ｂ-1には、昇降式カーテン材３Ｂの右側に接続された昇降コード４Ｂ-3が取り付けられている。
【００３３】
図５Ｃに示す三枚二点巻き上げ式の実施例のものでは、ヘッドボックス２内に、第１の電動モータ６Ａ、第２の電動モータ６Ｂおよび第３の電動モータ６Ｃが搭載されており、第１の電動モータ６Ａには、その回転シャフト７Ａに第１の一対の巻取りドラム８Ａ-1、８Ａ-2が直列に取り付けてあり、第２の電動モータ６Ｂには、その回転シャフト７Ｂに第２の一対の巻取りドラム８Ｂ-1、８Ｂ-2が直列に取り付けてあり、第３の電動モータ６Ｃには、その回転シャフト７Ｃに第３の一対の巻取りドラム８Ｃ-1、８Ｃ-2が直列に取り付けてある。図５Ｃに示す実施例において、前記巻取りドラム８Ａ-1には、第１の昇降式カーテン材３Ａの左側に接続された昇降コード４Ａ-1が取り付けられ、前記巻取りドラム８Ｂ-1には、第２の昇降式カーテン材３Ｂの左側に接続された昇降コード４Ｂ-1が取り付けられ、前記巻取りドラム８Ｃ-1には、第３の昇降式カーテン材３Ｃの左側に接続された昇降コード４Ｃ-1が取り付けられている。さらに、前記巻取りドラム８Ａ-2には、第１の昇降式カーテン材３Ａの右側に接続された昇降コード４Ａ-2が取り付けられ、前記巻取りドラム８Ｂ-2には、第２の昇降式カーテン材３Ｂの右側に接続された昇降コード４Ｂ-2が取り付けられて、前記巻取りドラム８Ｃ-2には、第３の昇降式カーテン材３Ｃの右側に接続された昇降コード４Ｃ-2が取り付けられている。
【００３４】
上記する各実施例の説明において、この発明では、前記各電動モータ６に対し、各昇降式カーテン３における昇降コード４の数に応じた数の巻取りドラム８を、前記電動モータ６の回転シャフト７に直列に設けるようになっている。この発明は、上記実施例に限定されるものではなく、一つの巻取りドラム８に対して二本の昇降コード４を取り付けた構成のものであってもよい。さらに、この発明において、図５に示す実施例のもののように、一枚のカーテン材３に対して左右二本の昇降コード４、あるいは左右と中間の三本の昇降コード４を設けた構成のものに対し、各昇降式カーテン３に対し一本の昇降コード４による巻き上げる構成のものであってもよい。
【００３５】
次に、この発明になる電動式複重カーテン昇降装置に適用される上限下限スイッチ手段ＳＭについて詳細に説明する。この発明において、前記上限下限スイッチ手段ＳＭは、リミットスイッチ装置１０によって構成され、該リミットスイッチ装置１０は、前記ヘッドボックス２の下面に設けられており、二枚の昇降式カーテン材用のリミットスイッチ装置１０として、前記ヘッドボックス２の下面において前後方向に並列配置されている。
【００３６】
前記リミットスイッチ装置１０の具体的な実施例について、図６〜図１０に基づいて説明する。図６は、単体のリミットスイッチ装置１０を上方から見た概略的な平面図であり、図７Ａおよび図７Ｂは、図６におけるＸ−Ｘ線に沿った概略的な断面図であり、図８Ａおよび図８Ｂは、図６におけるＹ−Ｙ線に沿った概略的な断面図である。
【００３７】
前記上限下限スイッチ手段ＳＭのためのリミットスイッチ装置１０の構造について説明する。このリミットスイッチ装置１０は、主な構成として、スイッチケース１１と、上昇用リミットスイッチ１６ｕと、下降用リミットスイッチ１６ｄと、第１ガイドローラー１２と、第２ガイドローラー１３から構成されており、カーテン昇降装置１の下部において、スイッチケース１１がヘッドボックス２の底面に取付けられる。また、第１ガイドローラー１２及び第２ガイドローラー１３は、カーテン昇降装置１の延設長さ方向に対して直交する方向（図６のＺ方向）に回転可能に軸支されており、昇降コード４は巻取りドラム８から第１ガイドローラー１２の下方、第２ガイドローラー１３の上方を通って、カーテン地３の方向に垂下する。さらに、昇降コード４を緊張させたままで巻取り又は巻解きする為に、それぞれのガイドローラーの表面にはスリップ防止用の凹凸が刻設されている。
【００３８】
上昇用リミットスイッチ１６ｕは、マイクロスイッチ１４ｕと、プラスティック製の作動片１５ｕから構成されており、作動片１５ｕには、マイクロスイッチ１４ｕに対して押動可能に接触する先端部２２ｕと、スイッチケース１１の下方に向けて突出した動作部２３ｕと、垂下する昇降コード４が挿通する為のコード挿通孔２４ｕが設けられている。さらに、作動片１５ｕは、カーテン昇降装置１の延設長さ方向に対して直交する方向（図６のＺ方向）に貫通された金属製のピンからなる回転軸２１ｕに外嵌されており、動作部２３ｕに下から上に押し上げる付勢力Ｆ１（図８Ｂ参照）が加わると、回転軸２１ｕを中心に図７Ａにおいて時計回りに回転し、先端部２２ｕがマイクロスイッチ１４ｕを押し込む（図８Ｂの状態）。この付勢力がなくなると、回転軸２１ｕを中心に図７Ａにおける反時計回りに回転し、元の位置に戻る（図７Ａの状態）。このとき、作動片１５ｕの戻り動作を補助する為に、バネ部材を設けたり、先端部２２ｕ側に適当な錘を付けたりしても良い。
【００３９】
下降用リミットスイッチ１６ｄは、マイクロスイッチ１４ｄと、プラスティック製の作動片１５ｄから構成されており、作動片１５ｄには、マイクロスイッチ１４ｄに対して押動可能に接触する先端部２２ｄと、第２ガイドローラー１３に連結された動作部２３ｄと、垂下する昇降コード４が挿通するためにコード挿通孔２４ｄが設けられている。このとき、部品点数を少なくする為に、第２ガイドローラー１３そのものを動作部２３ｄとしてもよい。さらに、作動片１５ｄは、カーテン昇降装置１の延設長さ方向に対して直交する方向（図６のＺ方向）に貫通された金属製のピンからなる回転軸２１ｄに外嵌されており、昇降コード４が緊張されたままで垂下すると、昇降コード４の張力によって、動作部２３ｄに上から下に引き下げる付勢力Ｆ２（図８Ｂ参照）が働き、回転軸２１ｄを中心に図８Ａにおいて時計回りに回転し、先端部２２ｄがマイクロスイッチ１４ｄを押し込む（図８Ａの状態）。昇降コード４に弛みが生じると、回転軸２１ｄを中心に図８Ａにおいて反時計回りに回転し、元の位置に戻る（図７Ｂの状態）。このとき、作動片１５ｕの戻り動作を補助する為に、バネ部材を設けたり、先端部２２ｄ側に適当な錘を付けたりしても良い。
【００４０】
また、作動片１５ｄは、作動片１５ｕの上方に重ねて配置されており、コード挿通孔２４ｄとコード挿通孔２４ｕが上下に連続して設けられており、さらに、先端部２２ｕと先端部２２ｄが回転軸２１ｕ（回転軸２１ｄ）の方向（図６のＺ方向）に並べて配置されている。
【００４１】
次に、カーテン地３の昇降動作に伴う上昇用リミットスイッチ１６ｕおよび下降用リミットスイッチ１６ｄの動作について説明する。
【００４２】
カーテンの上昇動作（電動モータ６がＯＮ）において、その上限限界位置まで巻取りが続けられると、最上のリングテープ５ａが動作部２３ｕを下から上に押し上げる。これによって、前述の通り、作動片１５ｕが回転軸２１ｕを中心に回転し、先端部２２ｕがマイクロスイッチ１４ｕを押し込む。このとき、カーテンの昇降動作を停止（電動モータ６をＯＦＦ）させるスイッチ動作が起こる。
【００４３】
カーテンの下降動作（電動モータ６がＯＮ）において、その下降限界位置まで巻解きが続けられると、昇降コード４に弛みが生じる。これによって、前述の通り、作動片１５ｄが回転軸２１ｄを中心に回転し、先端部２２ｄがマイクロスイッチ１４ｄを押し込まない位置に戻る。このとき、カーテンの昇降動作を停止（電動モータ６をＯＦＦ）させるスイッチ動作が起こる。同様に、カーテン地３又はカーテン地の下端に設けたウエイトバー等が障害物に当たって昇降コード４に弛みが生じた時においても、カーテンの昇降動作を停止（電動モータ６をＯＦＦ）させるスイッチ動作が起こる。
【００４４】
このように本発明に係る電動昇降式のリミットスイッチ装置１０では、回転軸２１ｕと回転軸２１ｄが平行に設けられ、作動片１５ｄが作動片１５ｕの上方に重ねて配置され、コード挿通孔２４ｕとコード挿通孔２４ｄが上下に連続して設けられ、先端部２２ｕと先端部２２ｄが並べて配置されることで、作動片１５ｕと作動片１５ｄが非常に高集積化されて配置されることと、それぞれの回転動作に必要なスペースの一部を共有することができることから、リミットスイッチ装置全体が小型化（省スペース化）することができる。
【００４５】
一方、図９は、当該リミットスイッチ装置１０の他の実施例を示すものであって、これを上方から見た概略的な平面図であり、図１０Ａ、図１０Ｂおよび図１０Ｃは、図９におけるＸ−Ｘ線に沿った概略的な断面図である。
【００４６】
まず、このリミットスイッチ装置１０の構造について説明する。リミットスイッチ装置１０は、スイッチケース１１と、昇降兼用リミットスイッチ１６と、第１ガイドローラー１２と、第２ガイドローラー１３から構成されており、第１ガイドローラー１２および第２ガイドローラー１３は、カーテン昇降装置１の延設長さ方向に対して直交する方向（図９のＺ方向）に回転可能に軸支されており、昇降コード４は巻取りドラム８から第１ガイドローラー１２の下方、第２ガイドローラー１３の上方を通って、カーテン地３の方向に垂下する。さらに、昇降コード４を緊張させたままで巻取り又は巻解きする為に、それぞれのガイドローラーの表面にはスリップ防止用の凹凸が刻設されている。
【００４７】
昇降兼用リミットスイッチ１６は、マイクロスイッチ１４と、プラスティック製の作動片１５から構成されており、作動片１５には、マイクロスイッチ１４に対して押動可能に接触する先端部３２と、スイッチケース１１の下方に向けて突出した動作部３３ｕと、第２ガイドローラー１３に連結された動作部３３ｄと、垂下する昇降コード４が挿通する為のコード挿通孔３４が設けられている。さらに、作動片１５は、カーテン昇降装置１の延設長さ方向に対して直交する方向（図９のＺ方向）に貫通された金属製のピンからなる回転軸３１に外嵌されており、昇降コード４が緊張されたままで垂下すると、昇降コード４の張力によって、動作部３３ｄに上から下に引き下げる付勢力Ｆが働き、回転軸３１を中心に時計回りに回転し、先端部３２がマイクロスイッチ１４を押し込む（図１０Ａの状態）。この状態で、動作部３３ｕに下から上に押し上げる付勢力Ｆ１（図１０Ｂ参照）が加わると、回転軸３１を中心に反時計回りに回転し、先端部３２がマイクロスイッチ１４を押し込まなくなる（図１０Ｂの状態）。また、昇降コード４に弛みが生じると、動作部３３ｄに上から下に引き下げる付勢力が働かなくなり、回転軸３１を中心に反時計回りに回転し、先端部３２がマイクロスイッチ１４を押し込まなくなる戻り動作が起こる（図１０Ｃの状態）。このとき、作動片１５の戻り動作を補助する為に、バネ部材を設けたり、回転軸３１に対して先端部３２とは反対側に適当な錘を付けたりしても良い。
【００４８】
次に、昇降兼用リミットスイッチ１６の動作について説明する。
【００４９】
カーテンの上昇動作（電動モータ６がＯＮ）において、その上限限界位置まで巻取りが続けられると、最上のリングテープ５ａが動作部３３ｕを下から上に押し上げる。これによって、前述の通り、作動片１５が回転軸３１を中心に回転し、先端部３２がマイクロスイッチ１４を押し込まなくなる。このとき、カーテンの昇降動作を停止（電動モータ６をＯＦＦ）させるスイッチ動作が起こる。
【００５０】
カーテンの下降動作（電動モータ６がＯＮ）において、その下降限界位置まで巻解きが続けられると、昇降コード４に弛みが生じる。これによって、前述の通り、作動片１５が回転軸３１を中心に回転し、先端部３２がマイクロスイッチ１４を押し込まない位置に戻る。このとき、カーテンの昇降動作を停止（電動モータ６をＯＦＦ）させるスイッチ動作が起こる。同様に、カーテン地３又はカーテン地３の下端に設けたウエイトバー等の部材が障害物に当たって昇降コード４に弛みが生じた時においても、カーテンの昇降動作を停止（電動モータ６をＯＦＦ）させるスイッチ動作が起こる。
【００５１】
このように本発明に係る電動昇降式のリミットスイッチ装置１０では、上昇用のリミットスイッチと下降用のリミットスイッチを共通化した１つの昇降兼用リミットスイッチ１６を設けることによって、作動片１５の先端部２２や、マイクロスイッチ１４を１つに集約でき、更なる小型化（省スペース化）とコストダウンが可能となる。
【図面の簡単な説明】
【００５２】
【図１】この発明になる電動式複重カーテン昇降装置の一実施例を示す概略的な斜視図である。
【図２】図１に示す電動式複重カーテン昇降装置におけるヘッドボックス内の詳細を示す概略的な斜視図である。
【図３】ヘッドボックスを下面側から見た概略的な斜視図である。
【図４】当該昇降装置における上限・下限リミットスイッチ機構を下方から見た概略的な斜視図である。
【図５】この発明の異なる適用例を示すものであって、図５Ａは、前後二枚のカーテン生地によるものであり、それぞれ左右二箇所に昇降コードを備えた例を示す概略的な正面図、図５Ｂは、前後二枚のカーテン生地によるものであり、それぞれ左右および中間部の三箇所に昇降コードを備えた例を示す概略的な正面図、図５Ｃは、三枚のカーテン生地をそれぞれ個別に昇降するように構成した例を示す概略的な正面図である。
【図６】当該昇降装置における上限・下限リミットスイッチ機構の詳細を示す概略的な平面図である。
【図７】当該昇降装置における上限・下限リミットスイッチ機構の作動態様を示すものであって、図７Ａおよび図７Ｂは、図６におけるＸ―Ｘ線に沿って断面で示すＸ―Ｘ線断面図である。
【図８】当該昇降装置における上限・下限リミットスイッチ機構の作動態様を示すものであって、図８Ａおよび図８Ｂは、図６におけるＹ―Ｙ線に沿って断面で示すＹ―Ｙ線断面図である。
【図９】上限・下限リミットスイッチ機構の他の例を示す概略的な平面図である。
【図１０】図９に示す上限・下限リミットスイッチ機構の作動態様を示すものであり、図１０Ａ、図１０Ｂおよび図１０Ｃは、図９におけるＸ―Ｘ線に沿って断面で示すＸ―Ｘ線断面図である。
【符号の説明】
【００５３】
１  カーテン昇降装置
２  ヘッドボックス
３  カーテン地
４  昇降コード
５  リングテープ
６  電動モータ
７  回転シャフト
８  巻取りドラム
ＳＭ  上限下限スイッチ手段
１０  リミットスイッチ装置
１１  スイッチケース
１２  第１ガイドローラー
１３  第２ガイドローラー
１４ｕ（１４ｄ・１４）  マイクロスイッチ
１５ｕ（１５ｄ・１５）  作動片
１６ｕ（１６ｄ・１６）  上昇用リミットスイッチ（下降用リミットスイッチ・昇降兼用リミットスイッチ）
２１ｕ（２１ｄ・３１）  回転軸
２２ｕ（２２ｄ・３２）  先端部
２３ｕ（２３ｄ・３３ｕ・３３ｄ）  動作部
２４ｕ（２４ｄ・３４）  コード挿通孔
【図１】
2008289641.tif 000003
【図２】
2008289641.tif 000004
【図３】
2008289641.tif 000005
【図４】
2008289641.tif 000006
【図５】
2008289641.tif 000007
【図６】
2008289641.tif 000008
【図７】
2008289641.tif 000009
【図８】
2008289641.tif 000010
【図９】
2008289641.tif 000011
【図１０】
2008289641.tif 000012
【手続補正書】
【提出日】平成19年6月4日(2007.6.4)
【手続補正１】
【補正対象書類名】明細書
【補正対象項目名】００３２
【補正方法】変更
【補正の内容】
【００３２】
図５Ｂに示す二枚三点巻き上げ式の実施例のものでは、ヘッドボックス２内に、第１の電動モータ６Ａおよび第２の電動モータ６Ｂが搭載されており、第１の電動モータ６Ａには、その回転シャフト７Ａに第１の三つの巻取りドラム８Ａ-1、８Ａ-2、８Ａ-3が直列に取り付けてあり、第２の電動モータ６Ｂには、その回転シャフト７Ｂに第２の三つの巻取りドラム８Ｂ-1、８Ｂ-2、８Ｂ-3が直列に取り付けてある。図５Ｂに示す実施例において、前記巻取りドラム８Ａ-1には、昇降式カーテン材３Ａの左側に接続された昇降コード４Ａ-1が取り付けられ、前記巻取りドラム８Ｂ-3には、昇降式カーテン材３Ｂの左側に接続された昇降コード４Ｂ-1が取り付けられている。前記巻取りドラム８Ａ-2には、昇降式カーテン材３Ａの中間に接続された昇降コード４Ａ-2が取り付けられ、前記巻取りドラム８Ｂ-2には、昇降式カーテン材３Ｂの中間に接続された昇降コード４Ｂ-2が取り付けられている。前記巻取りドラム８Ａ-3には、昇降式カーテン材３Ａの右側に接続された昇降コード４Ａ-3が取り付けられ、前記巻取りドラム８Ｂ-1には、昇降式カーテン材３Ｂの右側に接続された昇降コード４Ｂ-3が取り付けられている。
【手続補正２】
【補正対象書類名】図面
【補正対象項目名】図５
【補正方法】変更
【補正の内容】
【図５】
2008289641.tif 000013